(57)【要約】【課題】クリップの挟持性及びクリップの良好な操作性を、単純な構造で実現する出没式筆記具を提供する。【解決手段】クリップは、挟持片部と、該挟持片部の後方に位置し且つ操作体と回動自在に連結される連結部と、該連結部より後方に形成される張力付与部とを備え、操作体は、連結部と回動自在に連結される被連結部を備え、スライド孔後方の軸筒外面に規制部を備え、ペン先が没入状態において、張力付与部が規制部に接触可能に位置し、その状態で挟持片部が被挟持物を挟持した際、張力付与部が規制部に圧接され、張力付与部が径方向外方に付勢される。【選択図】  図１
2019051609.tif 000002
【特許請求の範囲】
【請求項１】
軸筒の内部に筆記体が軸方向に移動可能に収容され、前記軸筒の側壁に軸方向に延びるスライド孔が設けられ、前記スライド孔より操作体が径方向外方に突出され、前記操作体が前記スライド孔に沿って軸方向に移動可能に構成され、前記操作体を前方にスライド操作することにより前記筆記体のペン先を没入状態から前記軸筒前端より突出状態にする出没機構を有し、前記操作体にクリップを備えた出没式筆記具であって、
前記クリップは、挟持片部と、該挟持片部の後方に位置し且つ前記操作体と回動自在に連結される連結部と、該連結部より後方に形成される張力付与部とを備え、前記操作体は、前記連結部と回動自在に連結される被連結部を備え、前記スライド孔後方の軸筒外面に規制部を備え、前記ペン先が没入状態において、前記張力付与部が前記規制部に接触可能に位置し、その状態で前記挟持片部が被挟持物を挟持した際、前記張力付与部が前記規制部に圧接され、前記張力付与部が径方向外方に付勢されることを特徴とする出没式筆記具。
【請求項２】
前記張力付与部の幅は前記スライド孔の幅より大きく、前記ペン先が突出状態において、前記張力付与部は径方向外方に非付勢状態で前記スライド孔の側壁縁部外面に接触可能に位置することを特徴とする請求項１に記載の出没式筆記具。
【請求項３】
前記クリップは前記操作体に着脱自在に係合されることを特徴とする請求項１または２に記載の出没式筆記具。
【請求項４】
前記クリップは合成樹脂製であることを特徴とする請求項１乃至３のいずれか一項に記載の出没式筆記具。
【発明の詳細な説明】
【技術分野】
【０００１】
本発明は、出没式筆記具に関する。詳細には、径方向外方に突出される操作体を前方にスライド操作することにより筆記体のペン先を没入状態から軸筒前端より突出状態にする出没機構を有し、操作体にクリップを備えた出没式筆記具に関する。
【背景技術】
【０００２】
従来この種の筆記具において、例えば、特許文献１には、案内孔に嵌り合って前後へ進退可能なスライド体と、該スライド体に回動可能に支持されて軸筒外へ露出したクリップ体と、クリップ体を閉鎖方向へ付勢する付勢部材と、を備え、クリップ体におけるスライド体との支持点よりも後側の部分が軸筒径内方向へ押動されることによって、クリップ体における支持点よりも前側の部分を軸筒外周面から離隔させて開放する開閉操作機能付クリップが記載されている。
【先行技術文献】
【特許文献】
【０００３】
【特許文献１】特開２０１４−１３６３９５号公報
【発明の概要】
【発明が解決しようとする課題】
【０００４】
前記特許文献１は、サイドスライド式の出没式筆記具であり、移動するスライド体上にクリップ体を閉鎖方向へ付勢する付勢部材を備えており、部品点数が増えるなど構造が複雑になるおそれがある。
【０００５】
本発明は、前記従来の問題点を解決するものであって、クリップの挟持性及びクリップの良好な操作性を、単純な構造で実現する出没式筆記具を提供しようとするものである。尚、本発明において、「前」とはペン先側を指し、「後」とはその反対側を指す。
【課題を解決するための手段】
【０００６】
本願の第１の発明は、軸筒の内部に筆記体が軸方向に移動可能に収容され、前記軸筒の側壁に軸方向に延びるスライド孔が設けられ、前記スライド孔より操作体が径方向外方に突出され、前記操作体が前記スライド孔に沿って軸方向に移動可能に構成され、前記操作体を前方にスライド操作することにより前記筆記体のペン先を没入状態から前記軸筒前端より突出状態にする出没機構を有し、前記操作体にクリップを備えた出没式筆記具であって、
前記クリップは、挟持片部と、該挟持片部の後方に位置し且つ前記操作体と回動自在に連結される連結部と、該連結部より後方に形成される張力付与部とを備え、前記操作体は、前記連結部と回動自在に連結される被連結部を備え、前記スライド孔後方の軸筒外面に規制部を備え、前記ペン先が没入状態において、前記張力付与部が前記規制部に接触可能に位置し、その状態で前記挟持片部が被挟持物を挟持した際、前記張力付与部が前記規制部に圧接され、前記張力付与部が径方向外方に付勢されることを要件とする。
【０００７】
前記第１の発明の出没式筆記具は、前記クリップは、挟持片部と、該挟持片部の後方に位置し且つ前記操作体と回動自在に連結される連結部と、該連結部より後方に形成される張力付与部とを備え、前記操作体は、前記連結部と回動自在に連結される被連結部を備え、前記スライド孔後方の軸筒外面に規制部を備え、前記ペン先が没入状態において、前記張力付与部が前記規制部に接触可能に位置し、その状態で前記挟持片部が被挟持物を挟持した際、前記張力付与部が前記規制部に圧接され、前記張力付与部が径方向外方に付勢されることより、ペン先が没入状態の場合に、弾発部材等を使用せずに、単純な構造でクリップの十分な挟持力を得ることができる。また、ペン先突出状態にするためにクリップスライド操作を開始した段階で、張力付与部が規制部と非接触となる事が好ましく、それにより、クリップ先端部が軸筒の側壁と干渉することが無くなり、クリップ体のスムーズなスライド操作が得られる。
【０００８】
本願の第２の発明は、前記第１の発明の出没式筆記具において、前記張力付与部の幅は前記スライド孔の幅より大きく、前記ペン先が突出状態において、前記張力付与部は径方向外方に非付勢状態で前記スライド孔の側壁縁部外面に接触可能に位置することを要件とする。
【０００９】
前記第２の発明の出没式筆記具は、前記張力付与部の幅は前記スライド孔の幅より大きく、前記ペン先が突出状態において、前記張力付与部は径方向外方に非付勢状態で前記スライド孔の側壁縁部外面に接触可能に位置することより、ペン先が突出状態の場合に、張力付与部がスライド孔に落ち込まないため、連結部を支点としたクリップの回動量を適切に保つことができる。
【００１０】
本願の第３の発明は、前記第１または第２の発明の出没式筆記具において、前記クリップは前記操作体に着脱自在に係合されることを要件とする。
【００１１】
前記第３の発明の出没式筆記具は、前記クリップは前記操作体に着脱自在に係合されることより、クリップ有無の必要性に応じて取付け及び取外しができ、使用者の使用状態に応じて出没式筆記具の形態を変化させることができる。
【００１２】
本願の第４の発明は、前記第１、第２、または第３の発明の出没式筆記具において、前記クリップは合成樹脂製であることを要件とする。
【００１３】
前記第４の発明の出没式筆記具は、前記クリップは合成樹脂製であることより、ペン先が突出状態及び没入状態に関わらず、クリップに適切な柔軟性を持たせるため、クリップ、操作体及び軸筒に過度の負荷が掛かることが無く、各部品の高い耐久性を付与することができる。
【発明の効果】
【００１４】
本発明の出没式筆記具によれば、クリップの高い挟持性及びクリップの良好な操作性を、単純な構造で実現することができる。
【図面の簡単な説明】
【００１５】
【図１】本発明の第１の実施の形態のペン先没入状態を示す側面図である。
【図２】本発明の第１の実施の形態のペン先突出状態を示す側面図である。
【図３】図１の要部拡大側面図である。
【図４】図２の要部拡大側面図である。
【図５】図１のクリップを除いた要部拡大斜視図である。
【図６】本発明の第１の実施の形態の（ａ）がクリップの平面図、（ｂ）がクリップの断面図である。
【図７】本発明の第２の実施の形態のペン先没入状態を示す要部拡大側面図である。
【図８】本発明の第２の実施の形態のペン先突出状態を示す要部拡大側面図である。
【図９】図８のクリップを除いた要部拡大斜視図である。
【図１０】本発明の第２の実施の形態の（ａ）がクリップの平面図、（ｂ）がクリップの断面図である。
【発明を実施するための形態】
【００１６】
＜第１の実施の形態＞
図１乃至図６に本発明の第１の実施の形態を示す。
本実施の形態の出没式筆記具１は、軸筒２と、該軸筒２内に収容される１本の筆記体と、該筆記体のペン先３を軸筒２の前端孔２１より出没自在にさせる出没機構と、前記軸筒２の側壁より径方向外方に突出された１つの操作体４と、該軸筒２外面より突出した規制部２３と、前記操作体４に設けられたクリップ５とを備える。
【００１７】
・筆記体
前記筆記体は、ペン先３と、該ペン先３が前端開口部に圧入固着されたインキ収容管と、該インキ収容管内に充填されるインキと、該インキの後端に充填され且つ該インキの消費に伴い前進する追従体（例えば高粘度流体）とからなる。また、前記インキは、例えば、低粘度の水性または油性インキ、剪断減粘性を有する水性または油性ゲルインキ、熱変色性インキ等が挙げられる。
【００１８】
前記ペン先３は、例えば、前端に回転可能にボールを抱持した金属製のボールペンチップのみからなる構成、または前記ボールペンチップの後部外面を保持した合成樹脂製のペン先ホルダーからなる構成のいずれであってもよい。また、前記インキ収容管の後端開口部に、インキ収容管と外部とが通気可能な通気孔を備えた尾栓を取り付けることも可能である。前記ペン先３の内部には、前端のボールを前方に押圧するスプリングが収容される。前記スプリングは、圧縮コイルスプリングの前端部にロッド部を備えた構成であり、前記ロッド部の前端がボール後面に接触している。非筆記時、前記スプリングの前方付勢によりボールがボールペンチップ前端の内向きの前端縁部内面に密接され、ペン先３の前端からのインキの漏出及びインキの蒸発を防止できる。
【００１９】
・軸筒
前記軸筒２は、先細円筒状の前軸２ａと、該前軸２ａの後端部に連結される円筒状の中間軸２ｂと、該中間軸２ｂの後端部に連結される円筒状の後軸２ｃとからなる。また、前記軸筒２側壁（例えば中間軸２ｂの側壁及び後軸２ｃの側壁）には、軸方向に延びる１本のスライド孔２２が形成される。
【００２０】
前記軸筒２の後端（即ち後軸２ｃの後端）には、取付孔が設けられ、前記取付孔に弾性材料からなる摩擦部６が圧入嵌合される。前記摩擦部６は、前記操作体４の軸方向の移動に連動せず、後軸２ｃ（軸筒２）の後端外面に固定される。前記摩擦部６は、操作体４と独立して設けられる。
【００２１】
・摩擦部
前記摩擦部６は、前記軸筒２の後端部に設けられ、低摩耗性の弾性材料からなる。前記摩擦部６は、筆記体によって得られた熱変色性インキの筆跡を摩擦しその際に生じる摩擦熱で該筆跡を熱変色可能である。
【００２２】
前記摩擦部６を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部６を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。また、前記摩擦部６は、軸筒２の後端部外面に少なくとも設ければよく、例えば、軸筒２の後端部外面もしくは後軸２ｃの後端部外面に弾性材料よりなる摩擦部６を圧入、係合、螺合、嵌合、接着、２色成形等によって固着する構成、または軸筒２の全体もしくは後軸２ｃの全体が弾性材料により一体に形成される構成が挙げられる。
【００２３】
・出没機構
前記出没機構は、回転カム機構を用いたサイドスライド式出没機構である。前記出没機構は、図示はしないが、中間軸２ｂ内面に形成されたカム部と、該カム部に係合し且つ筆記体の後端に当接する回転部材と、該回転部材に係合し且つスライド孔２２より径方向外方に突出する操作体４と、軸筒２内に収容され且つ筆記体を後方に付勢する弾発体（例えば圧縮コイルスプリング）とからなる。本実施の形態の出没機構は、ペン先突出操作及びペン先没入操作のいずれもが操作体４を前方にスライド操作するダブルノック式である。
【００２４】
前記カム部は、前方に突出する鋸歯状の複数のカム歯と、該カム歯間に形成される、軸方向に延びる複数のカム溝とを備える。前記回転部材は、その外面に軸方向に延びる複数本（例えば４本）の突条を備え、該突条が、カム部のカム歯及びカム部のカム溝と係合される。前記操作体４の前端には、回転部材の突条の後端と係合するカム歯が一体または別部材の取り付けにより形成される。
【００２５】
・操作体
前記操作体４は、軸筒２側壁の軸方向に延びるスライド孔２２より径方向外方に突出される。前記操作体４を前方にスライド操作（押圧操作）することによって、筆記体のペン先３が軸筒２の前端孔２１から出没自在に構成される。前記操作体４は、軸方向に延びる板状であり、両外側面に一対の孔（凹部）よりなる被連結部４１が形成される。なお、被連結部４１の一対の孔（凹部）は、互いに貫通していてもよい。また、後述の連結部５２に孔（凹部）が形成されている場合は、被連結部４１は両外側面に一対の突起（凸部）が形成される。
【００２６】
・クリップ
前記クリップ５は、軸筒２の外面に操作体４を介して回動自在に取り付けられる。前記クリップ５は、前端部軸筒側に玉部５１ａが突設された軸方向に延びる挟持片部５１と、該挟持片部５１の後方に径方向に貫通する挿入孔５２ａと、該挿入孔５２ａ内にクリップ５と一体に連設される連結部５２と、該連結部５２の後方軸筒側に張力付与部５３を備え、合成樹脂材料（例えば、ポリカーボネイト等）により一体に形成される。前記クリップ５は、具体的には、合成樹脂の射出成形により得られる。
【００２７】
・連結部
連結部５２は、クリップ５の挿入孔５２ａの中心方向に突出する一対の突起（凸部）からなる。前記突起（凸部）と、操作体４の被連結部４１の孔（凹部）が嵌合され、操作体４とクリップ５を回動自在に連結させる。該突起（凸部）は、クリップ５の挿入孔５２ａ内に、クリップ５と一体に形成され、操作体４と連結されたクリップ５は、該突起（凸部）を支点として回動自在に構成される。なお、本実施の形態ではクリップ５に突起（凸部）を設け、操作体４に孔（凹部）を設けてあるが、係合時の凹凸関係は逆でもよい。すなわち、クリップ５に孔（凹部）を設け、操作体４に突起（凸部）を設ける場合でも同様の機能を満たす。
【００２８】
連結部５２の突起（凸部）と操作体４の被連結部４１は、着脱自在であり、クリップ５有無の必要性に応じて取付け及び取外しができ、使用者の使用状態に応じて出没式筆記具１の形態を変化させることができる。例えば、販売時にはクリップ５を備えない状態で販売し、ユーザーが必要に応じてクリップ５を後付できることも想定され、その際でもクリップ５に適切な張力を付与することが可能となる。
【００２９】
・規制部と張力付与部の作用
筆記体のペン先３が没入状態において、前記クリップ５の張力付与部５３が前記軸筒２外面（本実施例では後軸２ｃ）より突出した規制部２３に当接する。それにより、前記張力付与部５３が径方向外方に付勢されると同時に、前記挟持片部５１が径方向内方（軸筒２側）に常時付勢され、前記挟持片部５１の玉部５１ａが、軸筒２の側壁外周面に常時圧接される。本実施の形態の出没式筆記具１を衣服のポケットや手帳の筒状保持部に挿入した際に、前記挟持片部５１の玉部５１ａと軸筒２の側壁外周面との間で、前記ポケットや筒状保持部が確実に挟持される。
【００３０】
筆記体のペン先３が突出状態において、前記クリップ５の張力付与部５３は前記軸筒２外面（本実施例では後軸２ｃ）より突出した規制部２３に当接しない。それにより、前記挟持片部５１が径方向内方（軸筒２側）に付勢されることなく、前記挟持片部５１の玉部５１ａは、軸筒２の側壁外周面に当接または離隔される。
【００３１】
さらに、軸筒２（中間軸２ｂ及び後軸２ｃ）の外周面が後端から先端にかけて拡径していく場合においては、本発明を用いずに没入状態での適切なクリップ張力を得た場合、筆記体のペン先３が没入状態から突出状態になる際に、玉部５１ａが必要以上の力で軸筒２の側壁外周面に当接され、クリップ５に過大な負荷が掛かってしまうおそれがある。しかし、本発明を用いれば、ペン先３が突出状態において前記挟持片部５１の玉部５１ａは、軸筒２の側壁外周面に当接または離隔されるため、クリップ５に必要以上の負荷が掛かることを防ぐことができる。
【００３２】
・側壁縁部
側壁縁部２４はスライド孔２２の軸筒２外面側に位置し、ペン先３が突出状態においては、該側壁縁部２４外面に張力付与部５３が接触可能な状態となる。張力付与部の幅Ｗ２（クリップ５の短手方向）はスライド孔の幅Ｗ１（スライド孔２２の短手方向）より大きく、即ち前記張力付与部の幅Ｗ２は、対向する側壁縁部２４の幅（短手方向）よりも大きく形成される。
【００３３】
本実施の形態の出没式筆記具１は、ペン先３が没入状態の場合に、弾発部材等を使用せずに、単純な構造でクリップ５の高い挟持性を付与することができる。また、ペン先突出状態にするためにクリップスライド操作を開始した段階で、張力付与部５３が規制部２３と非接触となり、クリップ５先端部が軸筒２の側壁と干渉することが無くなり、クリップ５のスムーズなスライド操作が得られる。また、クリップ５に挟持力の必要な時のみ適切な張力を持たせるため、クリップ５、操作体４及び軸筒２に過度の負荷が掛かることが無く、各部品の高い耐久性を付与することができる。
【００３４】
＜第２の実施の形態＞
図７乃至図１０に本発明の第２の実施の形態を示す。
本実施の形態の出没式筆記具１は、第１の実施の形態の変形例であり、第１の実施の形態と異なる点は、規制部２３及び側壁縁部２４が軸筒２外面より突出していない点と、張力付与部５３が部分的に突出しており、その突出した部分が規制部２３及び側壁縁部２４に当接可能となっている点である。第２の実施の形態の他の構成及び作用効果は、第１の実施の形態と共通であり、説明は省略する。
【００３５】
・規制部と張力付与部の作用
筆記体のペン先３が没入状態において、前記クリップ５の後端に軸心方向に部分的に突出した張力付与部５３が前記軸筒２外面（本実施例では後軸２ｃ）の規制部２３に当接する。それにより、前記張力付与部５３が径方向外方に付勢されると同時に、前記挟持片部５１が径方向内方（軸筒２側）に常時付勢され、前記挟持片部５１の玉部５１ａが、軸筒２の側壁外周面に常時圧接される。本実施の形態の出没式筆記具１を衣服のポケットや手帳の筒状保持部に挿入した際に、前記挟持片部５１の玉部５１ａと軸筒２の側壁外周面との間で、前記ポケットや筒状保持部が確実に挟持される。
【００３６】
筆記体のペン先３が突出状態において、前記クリップ５の後端に軸心方向に部分的に突出した張力付与部５３は前記軸筒２外面（本実施例では後軸２ｃ）の規制部２３に当接しない。それにより、前記挟持片部５１が径方向内方（軸筒２側）に付勢されることなく、前記挟持片部５１の玉部５１ａは、軸筒２の側壁外周面に当接または離隔される。本実施の形態の出没式筆記具１は、ペン先３が突出状態の場合には、衣服のポケットが汚れてしまうため、出没式筆記具１をポケットなどに挿入する必要はない。したがって、ペン先３が突出状態の場合は、前記挟持片部５１の玉部５１ａが、軸筒２の側壁外周面に常時圧接される必要はない。
【００３７】
さらに、軸筒２（中間軸２ｂ及び後軸２ｃ）の外周面が後端から先端にかけて拡径していく場合においては、本発明を用いずに没入状態での適切なクリップ張力を得た場合、筆記体のペン先３が没入状態から突出状態になる際に、玉部５１ａが必要以上の力で軸筒２の側壁外周面に当接され、クリップ５に過大な負荷が掛かってしまうおそれがある。しかし、本発明を用いれば、ペン先３が突出状態において前記挟持片部５１の玉部５１ａは、軸筒２の側壁外周面に当接または離隔されるため、クリップ５に必要以上の負荷が掛かることを防ぐことができる。
【符号の説明】
【００３８】
１  出没式筆記具
２  軸筒
２ａ  前軸
２ｂ  中間軸
２ｃ  後軸
２１  前端孔
２２  スライド孔
２３  規制部
２４  側壁縁部
３  ペン先
４  操作体
４１  被連結部
５  クリップ
５１  挟持片部
５１ａ  玉部
５２  連結部
５２ａ  挿入孔
５３  張力付与部
６  摩擦部
Ｗ１  スライド孔の幅
Ｗ２  張力付与部の幅
【図１】
2019051609.tif 000003
【図２】
2019051609.tif 000004
【図３】
2019051609.tif 000005
【図４】
2019051609.tif 000006
【図５】
2019051609.tif 000007
【図６】
2019051609.tif 000008
【図７】
2019051609.tif 000009
【図８】
2019051609.tif 000010
【図９】
2019051609.tif 000011
【図１０】
2019051609.tif 000012